(57)【要約】      （修正有）【課題】病院、医院の多量多患者のカルテ保存管理扱いの合理化等、膨大な書類を保管、取り扱う官公署、それに、各種事務所、および、物品を多く保管、取り扱う商店、多種多様の部品を保管、取り扱かう工場、なお、階層が多くなっているビル事務所での書籍書類の保管、各階層における書籍書類の共有化、搬送体の上下左右前後姿勢を保ち搬送を行う。【解決手段】搬送体を取り付けて搬送する主動ローラーチェーン６と、それと従動する搬送体上下左右位置方向を保持する搬送体の方向を制御する制御ローラーチェーン５により搬送体の上下左右方向を保持して搬送を行う。【選択図】図１
2016060639.tif 000002
【特許請求の範囲】
【請求項１】
本発明は搬送体を取り付けて搬送する主動ローラーチェーンと、それに従動する搬送体上下左右位置方向を保持する搬送体の方向を制御する制御ローラーチェーンにより搬送体の上下左右方向を保持して搬送する装置に関する。
【発明の詳細な説明】
【技術分野】  本発明は搬送体を取り付けて搬送する主動ローラーチェーンと、それに従動する搬送体上下左右位置方向を保持する搬送体の方向を制御する制御ローラーチェーンにより搬送体の上下左右方向を保持して搬送する装置である。例えば上下搬送において装置の左側で搬送体が上昇、装置の右側で下降するさい、装置の左右で搬送体の上下左右方向が同様であることが特徴である装置である。ここにおいて、ロープウエイのごとき、乗り椅子、または、乗り箱を吊り下げる場合、椅子、または、箱の、搖動があり、間隔を広くとらなければならない。それに対し本装置は搬送体の、搖動少なく接近して搬送を行う。そのさい、搬送体の上下左右方向を制御する制御ローラーチェーによる。また、エスカレーターのごとき、階段状に限らず、本装置においては重ね状とすることが可能である。
【背景技術】  従来、容器、または、物入れ、および、書籍書類棚並びに物品収納体（以後、容器、または、物入れ、および、書籍書類棚並びに物品収納体を収納体、または搬送体と記す）例えば、汚染水処理においては各処理層を横方向前後左右に配置、多くは２系列設けて吸着剤劣化再生対策として、２系列相互運転休止をおこなっている。なお、装置上部空間は比較的大きく、その利用を欠いている。医院におけるカルテ、官公署、事務所の書類棚等は利用者の手が届く範囲に設けることが多く、収納量が限られ、なお、各室の上部空間の利用を欠いている。物品製造場において、係員の手の届く範囲に部品や金型、治工具を置き、置き場が限られ、また、日日使用する製造物品用部品の先入れ後出しを招いている。
【発明の概要】
【発明が解決しようとする課題】  本発明の装置は業務の合理化に役立ち、連続性を良好にする。一例として病院、医院の多量多患者のカルテ保存管理扱いの合理化については、多くの市民が注目する事柄である。これに類する事柄は、膨大な書類を保管、取り扱う官公署、それに、各種事務所、および、物品を多く保管、取り扱う商店、多種多様の部品を保管、取り扱かう工場、なお、階層が多くなっているビル事務所での書籍書類の保管、各階層における書籍書類の共有化、それは、各家庭でも同じく、なお、高齢化、体力の減少にこたえることを含め多岐に及ぶ。
【課題を解決するための手段】  本発明は搬送体を重ねたごとき状態で、例えば左側で上に移動、上部で右側に移行するさい搬送体の上下左右方向を保持する制御ローラーチェーンにより搬送体が上下前後左右位置を保って移行、右側で上下に重なったごとき状態で下方に移行、下部で、装置の左右に設けた制御ローラーチェーンによりにより搬送体が上下前後左右位置を保って左側に移行する。それは、水平上下搬送装置、および、水平左右搬送装置においても同様、各装置の回転部で搬送体が上下前後左右位置を保って移行する。また、回転部において搬送体の重なり状態を解き、各搬送体の間隔を開いて移行させる。なお、本装置は、上下搬送、および、水平上下搬送、および、水平左右搬送、並びに傾斜搬送も可能である。なお、搬送主動ローラーチェーンと制御ローラーチェーンに代わりコンベアーチェーン、または特殊チェーン、および歯付きベルト、並びにワイヤロープ等を使用できる。
【発明の効果】  本装置利用による効果は多岐にわたるゆえ、その代表的と考えられるいくつかを以下に列記する。その１、前記、汚染水処理。その２、書籍書類保管においては、特に官公署における長年にわたり保管を要する書籍書類保管。その３、物品製造場における日日の部品保管、治工具保管、これらにおいて各保管場、製造場の有効利用、先入れ後出し防止、物品の搬送。その４、物品の加熱乾燥。その５、工場、事務所、住宅において、上部空間有効利用、上下階層間の物品の搬送。このさい、保管を兼ね備え、各階層での必要書籍書類の選び出し入れ利用を容易にする。その６、大型の装置では車の立体駐車装置。以上、多岐にわたる。
【図面の簡単な説明】
【図１】本装置右部の正面図、および左右からの斜視図
【図２】本装置の上部回転部側面図
【図３】本装置の上部回転部正面図
【図４】本装置の下部回転部側面図
【図５】本装置の下部回転部正面図
【図６】本装置の上部回転部のエキセントリックスプロケット組み立て構造側面図
【図７】本装置の上部回転部のエキセントリックスプロケット組み立て構造正面図
【図８】本装置の下部回転部のエキセントリックスプロケット組み立て構造側面図
【図９】本装置の下部回転部のエキセントリックスプロケット組み立て構造正面図
【図１０】本装置におけるローラーチェーンと搬送体の取り付け状態図
【図１１】本装置による汚水処理実用応用例図。左上からの斜視図
【図１２】本装置実用応用例として、事務所、工場等における書籍書類または、物品保管各階層間における書籍書類または物品の共有化
【発明実施するための最良の形態】
以下、本装置の実施の形態を図１から図１２に示して説明する。このさい、上下方向搬送装置例を示し、各ローラーチェーンのガイドレール、およびピンのガイドレール図は省略する。
図１から図１２は上下搬送装置に関する。図１は本装置の片方、右部を示す。搬送体１１の左右に主動ローラーチェーン６を設け、チェーンリンクプレート２９に位置方向制御ピン３０を介して搬送体１１を取り付け、位置方向制御ピン３０に位置方向制御バー７を取り付け、位置方向制御２ピン８を介して方向制御ローラーチェーン５のチェーンリンクプレート３１に取り付ける。このさい、２９チェーンリンクプレートと位置方向制御ピン３０の間と、３１チェーンリンクプレートと位置方向制御２ピン８の間では回転する構造である。
スプロケット１の軸１２に駆動電動機１４を設ける。ただし、装置が小型の場合は手動で回転できる。
スプロケット１とスプロケット２の間隔は、位置方向制御バー７の長さと同じである。すなはち、同じ距離偏心して設けている。詳細は、図２と図３に示す。
図１と図１０において、搬送体が上昇するとき位置方向制御バー７は垂直であり、これに、位置方向制御ピン３０を介して搬送体１１を取り付けてある。
上下回転部において、スプロケット１とスプロケット２の偏芯間隔は位置方向制御バー７の長さと同じである。したがって、位置方向制御バー７は搬送体の上下動時と同じく上下垂直方向を保つ。したがって、搬送体の上下左右方向は上下動時と回転部で同様である。下部回転部においても図４と図５に示すとおり、上部回転部と同じである。
図６、図７、図８、図９はスプロケット１と２が接近いる場合を示す。多くの場合、スプケット１と２は接近する。このさい１６は固定し、Ａ部図のごとく外周に溝形を設け、その溝にリング状のスプロケット４をはめ込む。１６と４の間にベアリング２８を設けてリング状スプロケットの回転を良好にする。
図１１は本装置を汚染水処理に用いる例である。図１２は、本装置を各階層間に用いる一例である。
【符号の説明】１    主動ローラーチェーン６列用スプロケット
２    搬送物体の位置方向制御ローラーチェーン５列用スプロケット
３    上下部回転部のエキセントリックスプロケット構造のときの６列ローラーチェーン      用スプロケット
４    上下部回転部のエキセントリックスプロケット構造のときの６列ローラーチェーン      用スプロケット
５    上下回転部のエキセントリックスプロケット構造のときの５列ローラーチェーン用      スプロケット
６    主動ローラーチェーン６列
７    位置方向制御ローラーチェーン５列
８    位置方向制御用バー
９    位置方向制御用ピン
１０  ローラーチェーン５列と６列と同調用スプロケット
１１  ローラーチェーン５列と６列と同調用スプロケット
１２  搬送体
１３  装置駆動軸
１４  装置のフレーム
１５  装置駆動電動機
１６  上下回転部のエキセントリックスプロケット組み立て構造のときのフレーム
１７  上下回転部のエキセントリックスプロケット組み立て構造のときのスプロケット嵌      めあい固定板
１８  装置駆動軸用ベアリング
１９  汚染水槽
２０  吸着槽
２１  吸着剤
２２  吸着剤再生等処理層
２３  正常水槽
２４  建築物一階フロアー
２５  建築物二階フロアー
２６  書籍書類または物品保管搬送入れ
２７  建築物一階に設けている事務または作業机
２８  建築物二階に設けている事務または作業机
２９  スプロケット用ベアリング
３０  主動ローラーチェーン６列のチェーンリンクプレート
３１  位置方向制御用２ピン
３２  位置方向制御ローラーチェーン５列のチェーンリンクプレート
３３  下部回転部５列ローラーチェーン用フレーム
【図１】
2016060639.tif 000003
【図２】
2016060639.tif 000004
【図３】
2016060639.tif 000005
【図４】
2016060639.tif 000006
【図５】
2016060639.tif 000007
【図６】
2016060639.tif 000008
【図７】
2016060639.tif 000009
【図８】
2016060639.tif 000010
【図９】
2016060639.tif 000011
【図１０】
2016060639.tif 000012
【図１１】
2016060639.tif 000013
【図１２】
2016060639.tif 000014